(57)【要約】      （修正有）【課題】容器で調湿できる量産可能な曲げ物容器を提供する。【解決手段】上端開口部２ｃを有する筒状の木質合成樹脂からなる容器本体２と、該容器本体２の底部の内周面には底突起が一体に設けられ、容器本体２の中に挿入され底突起に止着された木製の底板３と、容器本体２の上端開口部２ｃを開閉自在に塞ぐ木製の蓋体４から構成され、底板３と蓋体４により容器本体２内に収容された食品などから放出される水分および湿気を吸収できる。【選択図】図１
0003206426.tif 000002
【実用新案登録請求の範囲】
【請求項１】
上端開口部を有する筒状の木質合成樹脂からなる容器本体と、該容器本体の底部の内周面に内径方向に突出する底突起を一体に設け、前記容器本体の中に挿入され前記底突起に止着された木製の底板と、前記容器本体の上端開口部を開閉自在に塞ぐ木製の蓋体から構成され、前記底板と蓋体により容器本体内の水分および湿気を吸収することを特徴とする曲げ物容器。
【請求項２】
前記蓋体の内径は、前記容器本体の外周面の外径より大きく形成し、該蓋体の下面の外周部に木製の側壁を固着して断面凹の盆状に構成したことを特徴とする請求項１記載の曲げ物容器。
【請求項３】
前記蓋体の外径は、前記容器本体の上端開口部の内径より小さく形成したことを特徴とする請求項１記載の曲げ物容器。
【請求項４】
前記蓋体の上面には２本の平行な断面矩形形状の棒状突起を中心に対して対称に固設し、前記容器本体の直径より長い断面矩形形状の押圧棒と輪ゴムをそれぞれ４個設け、前記蓋体を容器本体の上端開口部内に入れた状態で２本の前記押圧棒を平行かつ前記棒状突起とほぼ直交する状態に載せ、他の２本の前記押圧棒を容器本体の底から前記押圧棒と平行に配置し、前記押圧棒を輪ゴムにより上下に連結して押圧棒同士が近づく方向に付勢することにより蓋体を容器本体内に押圧することを特徴とする請求項３記載の曲げ物容器。
【考案の詳細な説明】
【技術分野】
【０００１】
本考案は、ご飯やおかずなどの食物を収納する容器や鱒寿司などの押し寿司の保存容器として用いられる曲げ物容器に関する。
【背景技術】
【０００２】
従来の曲げ物容器の一例として図７（ａ）に示したように、杉や檜などの薄板を熱水につけて柔らかくして曲げ、その端同士を重ね合わせて端部を接着剤などで接合するとともに、その端部を山桜の皮で縫い合わせたものがある。この曲げ物容器は、薄板からなる円形側壁と、この側壁の底部に接着剤などで一体的に接合した木製の底板とで容器本体が構成され、この容器本体の上方を開口部に形成し、この開口部を塞いで閉じる木製の上蓋から構成されている。
この円形側壁は柾目状の薄板を曲げて形成していることにより、伝統的な曲げわっぱとして柾目を主体とした優美で落ち着いた風情の意匠と、木製で軽量ではあるが柾目を利用することにより容器の強度を高めることができる容器である。
【０００３】
また他の曲げ物容器の例として図７（ｂ）に示したように、例えば鱒寿司などの押し寿司を保存するための曲げ物容器がある。
この曲げ物容器は、上端開口部を有する木製の薄板からなる円形側壁で、その底に接着された木製の底板から構成される容器本体と、上記上端開口部の内径より小さい外径の押し蓋からなり、その押し蓋を容器本体の中に押し込むために、蓋の上と容器の下に設けた竹などからなる４本の押圧棒の両端に４本の輪ゴムを掛けて、容器本体内の寿司飯と寿司種を常に押し締めるようになっている。
【０００４】
富山の名産で知られる鱒寿司の鱒の身には、塩漬けして醗酵させたものが使用され、上記輪ゴムによって付勢された押圧棒による締め付けにより容器本体内で笹に覆われた寿司飯を常時押した状態で保存する、押し寿司、熟れ寿司としての性格を有する。最近では、鱒の身に代わって、鰤や白エビなどの身が使用されることもある。このような押し寿司によれば、スライスした寿司種が寿司飯全面を覆い、常時押し付けられているので、寿司飯に寿司種の風味が適度に浸透し、熟れた味となっているため、美味しく食することができる。この保存の目的のために、寿司飯を押して保存する曲げ物容器が使用される。
この容器内には、寿司飯や寿司種からの水分や湿気が放出される。このために、曲げ物容器では木製の薄板からなる容器本体と同じく木製の底板および蓋を用いて、適度に水分や湿気を吸収して外部へ放出し、押し寿司の旨みを数日間保つことができる。この豊かな風味を維持するために、木製の曲げ物容器は永く人々に愛用されてきた。
【０００５】
しかしながら、従来の曲げ物容器は、杉や檜などの柾目状の板材をその木目方向に沿って曲げることが必要なため、その加工が難しい上に、板材の両端合せ部を山桜皮や金属製止め具などで固定する必要があった。
また容器本体は薄板材を曲げて成形することで、容器の大きさや形状寸法が均一に定まらず、製作の自動化も難しく、製作に手間がかかり製造コストも高くなるなどの課題があった（特許文献１、２参照）。
【０００６】
これを解決する手段として、容器全体を合成樹脂製のものに変える方法がある。この方法では、容器を合成樹脂で金型成形することで大量生産ができ、製品は同じものができるが、合成樹脂製の容器からは伝統工芸的な木製容器のぬくもりは感じられない。
全木製でできた「曲げわっぱ」の伝統的な容器から感じられる優美で柔らかな意匠に慣れ親しんだものにとっては、違和感を与える（特許文献３参照）。
【０００７】
また押し寿司の製法上、温かな寿司飯を笹の葉を下にして鱒などの寿司種とともに曲げ物容器に押し込み、寿司飯と寿司種に圧力を掛けて保存するために、容器内には水分や湿気が充満する。
この水分や湿気を吸って外気に逃がす調湿機能が必要であるが、合成樹脂製の容器では水分や湿気を逃がして調湿する機能がなかった（特許文献４参照）。
【先行技術文献】
【特許文献】
【０００８】
【特許文献１】実用新案登録第３０８９７２４号公報
【特許文献２】実用新案登録第３１１１３６８号公報
【特許文献３】実用新案登録第３１７１４８９号公報
【特許文献４】特開平９−１８２６５５号公報
【考案の概要】
【考案が解決しようとする課題】
【０００９】
本考案が解決しようとする課題は、「曲げわっぱ」と称される伝統的な木製の曲げ物容器と同じ肌合いの意匠であるとともに、ご飯や食材あるいは寿司種から放出される水分や湿気を吸収して容器の外へ放出して、容器で調湿できる量産可能な曲げ物容器を提供することにある。
【課題を解決するための手段】
【００１０】
上記目的を達成するために、本考案の曲げ物容器は、上端開口部を有する筒状の木質合成樹脂からなる容器本体と、容器本体の底部の内周面に底突起が一体に設けられ、容器本体の中に挿入して底突起に止着した木製の底板と、容器本体の上端開口部を開閉自在な木製の蓋体から構成され、底板と蓋体により容器本体内の水分および湿気を吸収することを特徴としている。
【００１１】
また本考案の曲げ物容器は、蓋体の上面には２本の平行な断面矩形形状の棒状突起を中心に対して対称に固設し、容器本体の直径より長い断面矩形形状の押圧棒と輪ゴムをそれぞれ４個設け、蓋体を容器本体の上端開口部内に入れた状態で２本の押圧棒を平行かつ棒状突起とほぼ直交する状態に載せ、他の２本の押圧棒を容器本体の底から押圧棒と平行に位置させ、押圧棒を輪ゴムにより上下に連結して押圧棒同士が近づく方向に付勢して蓋体を容器本体内に押圧することを特徴としている。
【考案の効果】
【００１２】
本考案にあっては、以下に列挙する効果が得られる。
（１）従来からある木製の薄板から製作される曲げ物容器と類似の肌合いと意匠が得られるとともに、容器内に収容した食品などから放出される水分や湿気を適度に吸収する調湿機能が得られる効果がある。
また従来の手作りで手間のかかる曲げ物容器本体を木質合成樹脂にすることで金型成形が可能となり、曲げ物容器の製作が容易となる。また大きさ形状が同一となり、取り換え容易な木製の底板と蓋の寸法共通化による互換性向上や容器本体を木質合成樹脂化することで洗浄性や耐久性が向上して容器の再利用度が高まるなどの効果がある。
【００１３】
（２）蓋体を容器本体の上端開口部から容器内に押し入れた状態で、２本の押圧棒を蓋体の上面に固着された棒状突起とほぼ直交する状態に載せ、他の２本の押圧棒は容器本体の底から前記押圧棒と平行に配置し、前記上下一対の押圧棒の両端を２本の輪ゴムにより連結して押圧棒同士が近づく方向に付勢することで、蓋体を容器本体内に押圧することができる。
この構成から、容器本体内に収納された寿司飯と寿司種が適度な圧力で押されることで寿司飯に寿司種の風味が適度に浸透し、熟れた味となる。また曲げ物容器内で常時寿司飯と寿司種が押されることで、水分や湿気が容器内に放出される。この水分を、天然木製の底板と蓋体および木質合成樹脂からなる容器本体は、この水分や湿気を適度に吸収して容器外へ放出し、寿司飯の水分保持と寿司種の旨みを数日間保つことができる効果がある。
【図面の簡単な説明】
【００１４】
【図１】本考案の曲げ物容器の実施例１を示した斜視図である。
【図２】（ａ）は実施例１の平面図、図２（ｂ）は同じく底面図である。
【図３】図２（ａ）のＡ−Ａ矢視断面図である。
【図４】本考案の曲げ物容器の実施例２を示した斜視図である。
【図５】（ａ）は実施例２の平面図、図２（ｂ）は同じく底面図である。
【図６】図５（ａ）のＢ−Ｂ矢視断面図である。
【図７】（ａ）と同（ｂ）はそれぞれ従来例を示した図である。
【考案を実施するための形態】
【００１５】
以下、本考案の曲げ物容器の実施例１〜２の形態を図１〜６に基づいて説明する。
【００１６】
（実施例１）
図１は、本考案の曲げ物容器の実施例１の全体構成を示す斜視図であり、図２（ａ）はその平面図、図２（ｂ）は底面図である。
図３は図２（ａ）のＡ−Ａ矢視断面図であり、蓋体４を容器本体２から上方に少し持ち上げた状態を示している。１は曲げ物容器を示し、容器本体２は、上端開口部２ｃを有する薄板状の円筒形状であり、その素材は木質合成樹脂から構成され、押し出し成形や射出成型用の金型等により柾目状の筋を表面に表して金型成形される。
【００１７】
ここで木質合成樹脂とは、木粉、木フレーク、木材繊維、小麦パルプ、紙、その他のセルロースファイバー材料等と熱可塑性樹脂とを溶融、混練することにより製造され、天然木に近い木質感が得られる。混合する木質材料の配合割合は、２０重量パーセント〜９０重量パーセントである。
その製造方法は、木質材料を熱可塑性樹脂と加熱混練し、押出成形又は射出成形することにより、天然木の風合いに近い木質感を有する木質合成樹脂成形体が製造される。概して、３０重量パーセント以上であることが好ましい。
またその機能的特徴としては、木質合成樹脂内に混合した木質材料の割合が高いほど空気中の水分や湿気を吸う特徴がある。容器本体２の内周面２ｂの底部には、内径方向に突出した底突起２ｄが容器本体２に一体的に形成されている。
容器本体２の内周面２ｂの中に挿入された天然木製の底板３は、容器本体２の底部まで達して上記底突起２ｄに保持されて取り外し可能に止着または接着剤などで固定される。
【００１８】
曲がり物容器１には、上記容器本体２の上端開口部２ｃを上から閉じる木製の円形の蓋体４が設けられている。
蓋体４の蓋下面４ｂには、容器本体２の外周面２ａの外径より大きな内径を有する側壁５が下方に延設され、断面凹の盆状に形成されている。
蓋体４は、容器本体２の上端開口部２ｃを覆い、容器本体２の上端開口部２ｃを開閉自在に塞ぐ。
【００１９】
上記構成からなる実施例１の使用方法を説明する。木質合成樹脂からなる容器本体２の内部には、天然木製の底板３を上記底突起２ｄまで押し込み、上記底突起２ｄに止着する。
容器本体２に止着された底板３の上に直接または包装シートなどを介してご飯やおかずなどの食品やお菓子を入れる。
次に天然木製の蓋体４の側壁５の内周を容器本体２の外周面２ａに嵌め、上端開口部２ｃを覆って曲げ、物容器１の上端開口部２ｃを閉じる。
【００２０】
以上の構成からなる実施例１の曲がり物容器１は、木質合成樹脂の容器本体２と天然木製の底板３及び天然木製の蓋体４とで構成することで、従来から親しんでいる伝統的な曲がり物容器（わっぱ又は輪っぱ）と変わらない優美で落ち着いた肌合いと意匠になる。
また曲り物容器の構成部材を、木質合成樹脂および天然木で全体を構成することにより、容器内に収容された食品等から放出される水分と湿気を適度に吸う吸湿性と調湿機能がある。また従来の曲がり物容器の製作において、製作が難しくコストがかかる容器本体２の側壁５を木質合成樹脂にして金型成形することで大量生産が可能となり、その製品形状は同一となる。
この容器本体２を樹脂成形することで、蓋体４や底板３も大きさ形状とも同一のもので構成され、容器本体２や蓋体４および底板３の互換性が可能となる。容器本体２を木質合成樹脂にすることで洗浄が容易となり、また取り外し容易な底板３や蓋を交換して再利用度を高めることが可能となり環境にやさしい容器である。
【００２１】
（実施例２）
図４〜６は本考案の曲がり物容器の実施例２を示す図である。図４は実施例２の曲り物容器１を分解して示した斜視図であり、図５（ａ）はその平面図、図５（ｂ）は底面図である。図６は図５（ａ）のＢ−Ｂ矢視断面図である。
以下、実施例１と同じ機能を有する部材は同一の数字を付し詳細な説明を省略する。曲げ物容器１の容器本体２は、上端開口部２ｃを有する薄板状の円筒形状であり、その素材は実施例１と同様に木質合成樹脂で金型により成形され、表面は薄く柾目状の筋を表している。
容器本体２の内周面２ｂの底部には、内径方向に突出した底突起２ｄが容器本体２と一体に形成されている。容器本体２の中に挿入された天然木の板材からなる底板３は、底突起２ｄまで達して底突起２ｄに保持され、取り外し可能に止着または接着剤などで固定されている。
【００２２】
容器本体２の上には天然木の板材からなる円形の蓋体４が設けられている。蓋体４ は容器本体２と別体であり、その外径は容器本体２の内周面２ｂの内径に対し小さく、ゆとりを有して容器本体２の内部に容易に挿入できる。
蓋体４の蓋上面４ａには、杉材などからなる２本の棒状突起４ｃ、４ｃが接着剤などで固定されている。棒状突起４ｃは、断面形状が矩形の棒材を蓋上面４ａの外形に沿った形状で蓋上面４ａに設けられ、一対の棒状突起４ｃ、４ｃは、蓋体４の中心を挟んで対称な位置で互いに平行に固設されている。
【００２３】
容器本体２の上端開口部２ｃから挿入される蓋体４の上方には、２本の押圧棒６、６が配置されている。押圧棒６、６は、竹などで作られた断面形状が矩形の棒部材であり、容器本体２の外径よりも僅かに長く形成されている。
２本の押圧棒６、６を、容器本体２の上端開口部２ｃから内部に入る蓋体４の棒状突起４ｃ、４ｃに対してほぼ直交状態に載置し、互いに平行に配置する。一方、容器本体２の下部には、他の２本の押圧棒６、６を蓋体４の上部に配置した上記２本の押圧棒６、６に対して平行、かつほぼ同じ位置に配置する。
各押圧棒６の両端部は、容器本体２の外周面２ａの外側に突出した状態で、上下に位置する２本一対の押圧棒６、６同士を２個の輪ゴム７で両端を互いに連結し、押圧棒６が近づく方向に付勢する。他の上下２本一対の押圧棒６、６も同様に両端で連結する。この構造により、蓋体４は容器本体２の内部に輪ゴム７の弾力で押し込まれ、容器本体２内に収容された押し寿司、例えば鱒寿司などの寿司飯と寿司種が押圧される。
【００２４】
上記構成からなる実施例２の使用方法を説明する。容器本体２の木質合成樹脂からなる容器本体２の内部に、天然木からなる底板３を上記底突起２ｄまで押し込んで止着または接着剤などで固定する。底板３の上に直接または底板３に敷いた笹などを介して酢飯を容器本体２の内部に盛る。
次に酢飯の上に鱒などの寿司種を載せた後、笹を容器本体２の内部に折り曲げ、その笹の上に蓋体４を載せる。上記２本の押圧棒６、６を蓋体４の２本の棒状突起４ｃ、４ｃの上と容器本体２の下部に配置し、４本の押圧棒６、６の両端を、上下２本一対にして輪ゴム７で結束し、即ち、計４個の輪ゴムで連結し、押圧棒６が互いに近づく方向に付勢する。これにより、蓋体４は容器本体２の内部に押し込められ、容器本体２内に収容された押し寿司、例えば鱒寿司などが押圧される。
【００２５】
以上のように曲げ物容器の素材を、木質合成樹脂からなる容器本体２と木製の底板３及び蓋体４で構成することで、従来の曲がり物容器と変わらない肌合いと落ち着いた伝統的な意匠が達成できる。
また容器を木質合成樹脂および天然木で構成することにより、容器内に収容された食物から放出される水分と湿気を吸う吸湿性があり、また調湿機能も従来の押し寿司容器と同様にある。さらに容器本体２を木質合成樹脂で構成することで金型成形による大量生産が可能となり、その形状は同一となり、それに組み込む蓋体４や底板３も大きさ形状を同一ものに構成できる効果がある。
また木質合成樹脂は洗浄が容易となり、また底板３と蓋体４の共通化で、取り換え利用が可能が可能となり、容器の再利用度を高めることができる環境にやさしい曲り物容器である。
【産業上の利用可能性】
【００２６】
本考案の容器に収容するものは、食品のほかに雑貨品や化粧品などを収容する曲り物容器として用いてもよい。
【符号の説明】
【００２７】
１  曲げ物容器
２  容器本体
２ａ  外周面
２ｂ  内周面
２ｃ  上端開口部
２ｄ  底突起
３  底板
４  蓋体
４ａ  蓋上面
４ｂ  蓋下面
４ｃ  棒状突起
５  側壁
６  押圧棒
７  輪ゴム
【図１】
0003206426.tif 000003
【図２】
0003206426.tif 000004
【図３】
0003206426.tif 000005
【図４】
0003206426.tif 000006
【図５】
0003206426.tif 000007
【図６】
0003206426.tif 000008
【図７】
0003206426.tif 000009